(57)【要約】【課題】プリンタ装置など、新たな装置を別途必要とすることなく、光ディスク２００に視認可能な画像を形成する【解決手段】ホストコンピュータ３００には、光ディスク記録装置１０の記録動作及び画像形成動作を制御するためのライティングソフトウェアが搭載されている。ホストコンピュータ３００は、ライティングソフトウェアを起動することにより、光ディスク記録装置１０に記録の開始指示及び画像の形成開始指示を与える前に、記録情報及び画像情報に関する種々の設定をユーザに促し、これに応じて入力される種々の設定に従って該光ディスク記録装置１０の記録動作及び画像形成動作を決定する。【選択図】　　　　図１
2004039013.tif 000002
【特許請求の範囲】
【請求項１】
光ディスクに記録情報を記録するとともに、画像情報に対応する画像を形成する光ディスク記録装置の動作を制御する方法であって、
記録情報の記録の開始指示と画像情報に対応した画像の形成開始指示とを前記光ディスク記録装置に与える前に、前記光ディスク記録装置による記録情報の記録動作と前記光ディスク記録装置による画像情報に対応する画像形成動作とを決定することを特徴とする光ディスク記録装置の動作制御方法。
【請求項２】
光ディスクに記録情報を記録するとともに、画像情報に対応する画像を形成する光ディスク記録装置の動作を制御する方法であって、
記録情報の記録の開始指示と画像情報に対応した画像の形成開始指示とを前記光ディスク記録装置に与える前に、前記光ディスク記録装置による画像情報に対応する画像形成動作を決定し、次いで前記光ディスク記録装置による記録情報の記録動作を決定することを特徴とする光ディスク記録装置の動作制御方法。
【請求項３】
光ディスクに記録情報を記録するとともに、画像情報に対応する画像を形成する光ディスク記録装置の動作を制御するコンピュータに、
記録情報の記録の開始指示及び画像情報に対応した画像の形成開始指示を前記光ディスク記録装置に与える指示機能と、
前記指示機能によって光ディスク記録装置に記録情報の記録開始指示が与えられる前に、前記光ディスク記録装置による記録情報の記録動作を決定し、かつ、前記光ディスク装置による画像情報に対応する画像形成動作を決定する動作決定機能とを実現させるためのプログラム。
【請求項４】
前記コンピュータに、前記光ディスク記録装置による記録動作及び画像形成動作を決定するために必要な設定情報の入力を促す催告機能をさらに実現させ、
前記動作決定機能は、前記指示機能によって光ディスク記録装置に前記記録開始指示が与えられる前に、入力される前記設定情報に従って前記光ディスク記録装置による記録動作を決定し、かつ、画像形成動作を決定する機能であることを特徴とする請求項３に記載のプログラム。
【請求項５】
前記コンピュータに、指定される記録情報の情報量と指定される画像情報の情報量とを取得する第１取得機能と、第１取得機能によって取得された各情報の情報量を報知する報知機能とをさらに実現させ、
前記設定情報には、少なくとも記録情報を指定するための記録ファイル情報及び画像情報を指定するための画像ファイル情報を含むことを特徴とする請求項４に記載のプログラム。
【請求項６】
前記コンピュータに、指定される記録情報の情報量と指定される画像情報の情報量とを取得する第１取得機能と、前記光ディスクの空き容量を取得する第２取得機能と、前記第１取得機能によって取得された前記各情報の情報量の合計と前記第２取得機能によって取得された空き容量とを比較し、前記各情報の情報量の合計が前記空き容量を超えている場合、前記各情報の情報量の合計が前記空き容量を超えている旨を報知する報知機能とをさらに実現させ、
前記設定情報には、少なくとも記録情報を指定するための記録ファイル情報及び画像情報を指定するための画像ファイル情報を含むことを特徴とする請求項４に記載のプログラム。
【請求項７】
前記コンピュータに、指定される記録情報の情報量と指定される画像情報の情報量とを取得する第１取得機能と、前記光ディスクの空き容量を取得する第２取得機能と、前記第１取得機能によって取得された前記各情報の情報量と前記第２取得機能によって取得された空き容量との比較結果に応じて、前記各情報を編集する編集機能とをさらに実現させ、
前記設定情報には、少なくとも記録情報を指定するための記録ファイル情報及び画像情報を指定するための画像ファイル情報を含むことを特徴とする請求項４に記載のプログラム。
【請求項８】
前記編集機能は、前記第１取得機能によって取得された前記各情報の情報量と前記第２取得機能によって取得された空き容量との比較の結果、前記各情報の情報量の合計が前記空き容量を超えている場合に前記各情報を編集する機能であることを特徴とする請求項７に記載のプログラム。
【請求項９】
前記編集機能は、前記第１取得機能によって取得された前記各情報の情報量と前記第２取得機能によって取得された空き容量との比較の結果、前記各情報の情報量の合計が前記空き容量を超えている場合に、前記各情報のいずれか一方の情報のみを編集する機能であることを特徴とする請求項７に記載のプログラム。
【請求項１０】
前記設定情報には、前記光ディスク装置による画像情報に対応する画像形成パターンをあらわすパターン情報を含むことを特徴とする請求項４〜９のいずれか１の請求項に記載のプログラム。
【請求項１１】
請求項３〜１０のいずれか１の請求項に記載のプログラムを記録したことを特徴とするコンピュータ読み取り可能な記録媒体。
【発明の詳細な説明】
【０００１】
【発明の属する技術分野】
本発明は、光ディスクに画像を形成することができる光ディスク記録装置の動作制御方法、制御プログラム及び該制御プログラムを記録した記録媒体に関する。
【０００２】
【従来の技術】
近年、ＣＤ−Ｒ（Ｃｏｍｐａｃｔ　Ｄｉｓｃ　Ｒｅｃｏｒｄａｂｌｅ）やＣＤ−ＲＷ（Ｃｏｍｐａｃｔ　Ｄｉｓｃ　ＲｅＷｒｉｔａｂｌｅ）等の情報記録が可能な光ディスクが広く普及し、優れた利便性が得られるようになっている。
【０００３】
例えば、パーソナルコンピュータ（以下、ＰＣ）等に格納されているユーザオリジナルの音楽データを光ディスクに記録する場合、ユーザはＰＣのキーボード等を操作してハードディスク等に格納されているライティングソフトウェア（光ディスクに音楽データ等を記録するためのソフトウェア）を起動するとともに、記録すべき音楽データの選択等を行う。
【０００４】
かかる操作が行われると、ＰＣから光ディスク記録装置に記録すべき音楽データが順次転送される。光ディスク記録装置は、ＰＣから順次供給される音楽データに基づき、当該装置に装着された光ディスクにレーザを照射し、これにより該光ディスクに所望の音楽データが記録される。
【０００５】
このように、近年においては、オリジナリティ溢れる光ディスクをユーザが自ら製作して楽しむことができるようになっているが、光ディスクを外観から区別するのは困難なため、光ディスクの数が増えてくると、多数の光ディスクの中から所望の光ディスクを選び出したり、管理したりすることが困難になるという問題が生じる。
【０００６】
そこで、光ディスクにおける情報の書き込みが行われる面（記録面）の裏面、すなわちレーベル面には、記録面に記録した各種情報の識別を可能とすべく、タイトルを表す文字、記号などの画像が付加される。かかる画像は、プリンタ装置などを用いてラベルシートに印刷され、印刷後のラベルシートが光ディスクのレーベル面に貼り付けられることにより付加される。
【０００７】
【発明が解決しようとする課題】
しかしながら、このように光ディスクに画像を付加するためには、光ディスク記録装置のほか、別途プリンタ装置等が必要となり、ユーザにかかる負担も大きくなる。
一方、プリンタ装置等を用いることなく、例えば筆記具等を用いて光ディスクを識別するための文字や記号等を手書きした場合には、上記負担を抑えることができるが、レーベル面に手書きすると文字や絵柄などが次第に薄れて不鮮明になったり、美観を損ねるなどの問題があった。
【０００８】
本発明は、以上説明した事情を鑑みてなされたものであり、新たな装置等を別途必要とすることなく、光ディスクに視認可能な画像を形成することができる光ディスク記録装置の動作制御方法、制御プログラム及び該制御プログラムを記録した記録媒体を提供することを目的とする。
【０００９】
【課題を解決するための手段】
上述した問題を解決するため、本発明に記載の光ディスク記録装置の動作制御方法は、光ディスクに記録情報を記録するとともに、画像情報に対応する画像を形成する光ディスク記録装置の動作を制御する方法であって、記録情報の記録の開始指示及び画像情報に対応した画像の形成開始指示を前記光ディスク記録装置に与える前に、前記光ディスク記録装置による記録情報の記録動作を決定し、かつ、前記光ディスク装置による画像情報に対応する画像形成動作を決定することを特徴とする。
【００１０】
かかる構成によれば、記録情報に関する種々の設定と、画像情報に関する種々の設定を同時に行うことができるため、設定操作の簡易化を図ることができる。また、記録情報の記録及び画像情報に対応した画像の形成を開始する前に、記録情報及び画像情報に関する種々の設定を行うため、記録情報の情報量と画像情報の情報量の合計が、光ディスクの空き容量を超えてしまい、所望の画像が光ディスクに形成されなかった等の問題を未然に防ぐことができる。
【００１１】
また、本発明に記載のプログラムは、光ディスクに記録情報を記録するとともに、画像情報に対応する画像を形成する光ディスク記録装置の動作を制御するコンピュータに、記録情報の記録の開始指示及び画像情報に対応した画像の形成開始指示を前記光ディスク記録装置に与える指示機能と、前記指示機能によって光ディスク記録装置に各指示が与えられる前に、前記光ディスク記録装置による記録情報の記録動作を決定し、かつ、前記光ディスク装置による画像情報に対応する画像形成動作を決定する動作決定機能とを実現させることを特徴とする。
【００１２】
かかる構成によれば、記録情報に関する種々の設定と、画像情報に関する種々の設定を同時に行うことができるため、設定操作の簡易化を図ることができる。また、記録情報の記録及び画像情報に対応した画像の形成を開始する前に、記録情報及び画像情報に関する種々の設定を行うため、記録情報の情報量と画像情報の情報量の合計が、光ディスクの空き容量を超えてしまい、所望の画像が光ディスクに形成されなかった等の問題を未然に防ぐことができる。
【００１３】
【発明の実施の形態】
以下、光ディスクに種々の情報を記録するとともに、該光ディスクに所望の画像を形成することができる光ディスク記録装置に本発明を適用した実施の形態について説明する。
【００１４】
Ａ．本実施形態
（１）実施形態の構成
図１は、本実施形態に係る光ディスク記録システム１００の概略構成を示す図である。
図１に示すように、光ディスク記録システム１００は、ホストコンピュータ３００と、該ホストコンピュータ３００から与えられる指示に従って光ディスク２００に情報を記録するとともに、該光ディスク２００に画像を形成する光ディスク記録装置１０とを具備している。なお、図１では、ホストコンピュータ３００と光ディスク記録装置１０が、有線ケーブル（例えば、ＲＳ２３２Ｃ、ＵＳＢケーブル等）によって接続されている場合を例示しているが、無線（ブルートゥス等）によって接続しても良いのは勿論である。
【００１５】
＜光ディスク記録装置１０の構成＞
図２は、本実施形態に係る光ディスク記録装置１０の要部構成を示すブロック図であり、図３は光ディスク２００のフォーマットを説明するための模式図である。
光ディスク２００は、ＣＤ−Ｒ、ＣＤ−ＲＷ等のディスク状記録媒体であり、記録面とレーベル面とを有している。前述したように、タイトルを表す文字、記号などの画像は、通常、レーベル面に形成されるが、本実施形態では、記録面に該画像が形成される。詳述すると、図３（ａ）に示すように、該光ディスク２００の記録面には、情報記録及び画像形成が可能な情報記録・画像形成領域ＩＰＥが用意されている。
光ディスク記録装置１０は、ホストコンピュータ３００から順次供給される記録情報（音楽データ等）及び画像情報（ビットマップ形式の画像データ等）に従って、該光ディスク２００における記録面の情報記録・画像形成領域ＩＰＥにレーザを照射することにより、所望の記録情報を光ディスク２００に記録すると共に、所望の画像を光ディスク２００に形成する（図３（ｂ）参照）。
【００１６】
図２に戻り、スピンドルモータ１３０は、光ディスク２００を回転駆動する手段であり、サーボ回路１３８から供給される制御信号ＳＳに基づき、光ディスク２００を回転駆動する。
回転検出器１３２は、スピンドルモータ１３０の回転速度を検出する手段であり、スピンドルモータ１３０の逆起電力を利用することにより、スピンドルモータ１３０の回転速度に応じた周波数のＦＧ信号をサーボ回路１３８に出力する。
【００１７】
サーボ回路１３８は、主制御部１７０による制御の下、回転検出器１３２から与えられるＦＧ信号に基づいて制御信号ＳＳを生成し、これをスピンドルモータ１３０に供給することにより、スピンドルモータ１３０の回転制御（以下、スピンドルサーボ）を実行する。なお、本実施形態においては、ＣＡＶ方式、すなわちスピンドルモータ１３０の回転数を一定に制御して情報記録及び画像形成を行う方式を採用する。このため、サーボ回路１３８は、ＦＧ信号によって検出されるスピンドルモータ１３０の回転速度が、主制御部１７０から指示された角速度となるようにフィードバック制御する。また、このサーボ回路１３８は、スピンドルサーボのほか、光ピックアップ１４４のフォーカスサーボ（レーザの焦点を合わせ込むためのサーボ）、トラッキングサーボ（ピットを形成するトラックをトレースするサーボ）等を実行する。
【００１８】
光ピックアップ１４４は、レーザダイオード、４分割フォトディテクタ、対物レンズアクチュエータ（いずれも図示略）等を備えており、光ディスク２００にレーザを照射してホストコンピュータ３００から供給される記録情報及び画像情報に従って音楽データ等の記録、タイトル文字などの画像形成等を行う。
ステッピングモータ１４０は、モータドライバ１４２から供給されるモータ駆動信号ＭＳに従って、光ピックアップ１４４を光ディスク２００の径方向に移動させる。
モータドライバ１４２は、主制御部１７０からの指示に従って、指示された方向、移動量だけ光ピックアップ１４４を移動させるためのモータ駆動信号ＭＳを生成し、ステッピングモータ１４０に供給する。
【００１９】
ＲＦアンプ１３４は、光ピックアップ１４４の受光素子（図示略）による受光信号Ｒｖを増幅して、増幅後の信号をデコーダ１３６、アドレスデコーダ１３７及びサーボ回路１３８に供給する。
アドレスデコーダ１３７は、ＲＦアンプ１３４から供給される受光信号Ｒｖから、光ディスク２００のトラックアドレスを検出し、検出したアドレスデータＡＤをデコーダ１３６に供給する。
【００２０】
デコーダ１３６は、ＲＦアンプ１３４から供給される受光信号Ｒｖとアドレスデコーダ１３７から供給されるアドレスデータＡＤを受け取ると、該アドレスデータＡＤに同期して受光信号Ｒｖに含まれているオーディオデータ等をＥＦＭ（Ｅｉｇｈｔ　ｔｏ　Ｆｏｕｒｔｅｅｎ　Ｍｏｄｕｌａｔｉｏｎ）復調し、これを主制御部１７０に供給する。また、デコーダ１３６は、データ再生時に光ディスク２００に書き込まれている目次情報、すなわちＴＯＣ（Ｔａｂｌｅ　Ｏｆ　Ｃｏｎｔｅｎｔｓ）データが読み出されると、このＴＯＣデータをデコード処理し、デコード後のＴＯＣデータを主制御部１７０に供給する。
【００２１】
主制御部１７０は、ＣＰＵ、ＲＯＭ、ＲＡＭ等により構成され、ＲＯＭに格納された各種制御プログラムを実行して光ディスク記録装置１０の各部を制御する。
ＡＬＰＣ（Ａｕｔｏｍａｔｉｃ　Ｌａｓｅｒ　Ｐｏｗｅｒ　Ｃｏｎｔｒｏｌ）回路１６２は、光ピックアップ１４４から照射されるレーザの強度を制御する回路である。ＡＬＰＣ回路１６２は、光ピックアップ１４４から出射されるレーザの光量値が、主制御部１７０から指示される最適レーザパワーの目標値と一致するように、駆動信号Ｌｉの電流値を制御する。
【００２２】
バッファメモリ１５２は、ホストコンピュータ３００からインタフェース１５０を介して供給される情報であって、光ディスク２００に記録すべき記録情報をＦＩＦＯ形式にて記憶する。
エンコーダ１５４は、バッファメモリ１５２から読み出された記録情報をＥＦＭ変調し、ストラテジ回路１５６に出力する。ストラテジ回路１５６は、エンコーダ１５４から供給されるＥＦＭ信号に対して時間軸補正処理等を施し、レーザドライバ１６４に出力する。
【００２３】
一方、フレームメモリ１５８は、ホストコンピュータ３００からインタフェース１５０を介して供給される情報であって、光ディスク２００に形成すべき画像に対応する画像情報を蓄積する。
データ変換器１６０は、フレームメモリ１５８から読み出された画像情報をレーザ強度情報に変換し、これをレーザドライバ１６４に順次供給する。なお、レーザ強度情報とは、レーザ強度をライトレベル（光ディスク２００の感熱層が変色するのに十分なレーザ強度）に設定すべきか、あるいはボトムレベル（光ディスク２００の感熱層が変色しない程度のレーザ強度）に設定すべきかをあらわす情報をいう。
【００２４】
レーザドライバ１６４は、バッファメモリ１５２からエンコーダ１５４、ストラテジ回路１５６を介して順次供給される記録情報及びフレームメモリ１５８からデータ変換器１６０を介して順次供給される画像情報に従って、ＡＬＰＣ回路１６２による制御内容を反映させた駆動信号Ｌｉを生成し、これを光ピックアップ１４４に供給する。光ピックアップ１４４によるレーザビームの強度は、主制御部１７０から供給される目標値と一致するように、フィードバック制御される。
【００２５】
＜ホストコンピュータ３００の構成＞
図４は、ホストコンピュータ３００の要部構成を示すブロック図である。
ホストコンピュータ３００は、周知のＰＣ等により構成され、光ディスク記録装置１０の記録動作及び画像形成動作を制御するためのライティングソフトウェアを備えている（後述）。
コントローラ３１０は、ＣＰＵ、ＲＯＭ、ＲＡＭ等により構成され、ＲＯＭに格納された各種制御プログラムを起動することにより、ホストコンピュータ３００の各部を中枢的に制御する。
【００２６】
操作部３２０は、キーボード、マウスなど、各種操作子等により構成されている。ユーザは、かかる操作子を適宜操作することにより光ディスク２００に記録すべき記録情報の選択や、該光ディスク２００に形成すべき画像に対応する画像情報の選択、さらに、選択された記録情報の記録開始指示や、選択された画像情報に対応する画像形成開始指示等を入力することが可能となっている。
表示部３３０は、液晶パネル等により構成され、光ディスク記録装置１０の記録動作及び画像形成動作の設定を促す設定画面を表示したり、光ディスク２００のどの領域に記録情報が記録され、どの領域に画像情報に対応する画像が形成されるかを事前に表示（いわゆるプレビュー表示）する（詳細は後述）。
【００２７】
内部記憶装置３４０は、ハードディスクドライブ等により構成され、上述したライティングソフトウェアや、種々の記録情報及び画像情報等を格納する。
ここで、図５は、内部記憶装置３４０の記憶内容を例示した図である。
内部記憶装置３４０は、ソフトウェア格納領域Ｅ１、記録情報格納領域Ｅ２、画像情報格納領域Ｅ３など、複数の格納領域を有している。
ソフトウェア格納領域Ｅ１には、上記ライティングソフトウェアＷＳを含む複数種類のソフトウェアが格納されている。
記録情報格納領域Ｅ２には、光ディスク２００に記録可能な記録情報（音楽データ等）が複数格納されている（図５に示す、記録情報ファイルａ、記録情報ファイルｂ等参照）。
画像情報格納領域Ｅ３には、光ディスク２００に形成可能な画像に対応する画像情報（ビットマップ形式のデータ等）が複数格納されている（図５に示す、画像情報ファイルａ、画像情報ファイルｂ等参照）。なお、本実施形態では、複数の画像情報が、予め画像情報格納領域Ｅ３に格納されている場合を想定して説明を行うが、例えば外部記憶装置３５０から転送される文字データなどをビットマップ形式のデータに変換し、これを画像情報として画像情報格納領域Ｅ３に適宜格納するようにしても良い。
【００２８】
外部記憶装置３５０は、フロッピーディスクドライブ等により構成され、コントローラ３１０から与えられる指示に従い、フロッピーディスク等の記録媒体に記録されている記録情報及び画像情報等を内部記憶装置３４０に順次転送する。外部通信インタフェース３６０は、有線ケーブルによって光ディスク記録装置１０と接続され、該光ディスク記録装置１０との間で記録情報、画像情報等の授受を行う。
以上が本実施形態に係る光ディスク記録システム１００の構成である。以下、かかる光ディスク記録システム１００の動作について説明する。
【００２９】
（２）実施形態の動作
光ディスク２００に所望の記録情報を記録し、かつ、所望の画像を形成することを試みるユーザは、まず光ディスク２００の記録面と光ピックアップ１４４とが対向するように該光ディスク２００をセットする。
そして、ユーザは、ホストコンピュータ３００のマウス等を適宜操作して内部記憶装置３４０に格納されているライティングソフトウェアＷＳを起動すべき指示を入力する。ホストコンピュータ３００のコントローラ３１０は、操作部３２０を介してかかる指示を受け取ると、該ライティングソフトウェアＷＳを起動する。そして、コントローラ３１０は、図６に例示する記録動作・画像形成動作設定画面ＩＰＳを表示部３３０に表示し、光ディスク記録装置１０の記録動作及び画像形成動作を決定するのに必要な情報（設定情報）の入力をユーザに促す。
【００３０】
図６に示すように記録動作・画像形成動作設定画面ＩＰＳには、記録動作設定ウィンドウＩＷと、画像形成動作設定ボタンＰＢと、ディスク容量表示バーＣＢ等が表示される。
記録動作設定ウィンドウＩＷには、記録情報の格納場所及び各格納場所に格納されている複数の記録情報のファイル名等が表示される。より具体的には、ユーザがマウス操作等によって格納場所を選択すると、該格納場所に格納されている複数の記録情報のファイル名等が表示される。
【００３１】
画像形成動作設定ボタンＰＢは、画像形成動作設定ウィンドウＰＷ（後述）を表示するためのボタンであり、ユーザがマウス操作等によって画像形成動作設定ボタンＰＢをクリックすると、後述する画像形成動作設定ウィンドウＰＷが表示される。
ディスク容量表示バーＣＢは、光ディスク２００の容量を表示するものであり、マウス操作等によって記録すべき記録情報が選択され、形成すべき画像に対応する画像が選択されると、コントローラ３１０により選択された記録情報及び画像情報の情報量が求められ、これら各情報の情報量がディスク容量表示バーＣＢにそれぞれ表示される。
【００３２】
なお、本実施形態では、光ディスク２００の内周側に記録情報を記録し、光ディスク２００の外周側に画像情報に対応する画像を形成する場合を想定する。従って、記録すべき記録情報が選択され、形成すべき画像に対応する画像情報が選択されると、図７に示すようにディスク容量表示バーＣＢには、光ディスク２００の内周側に対応する空き容量部分に記録情報の情報量ＩＭ１が表示され、光ディスク２００の外周側に対応する空き容量部分に画像情報の情報量ＩＭ２が表示される。
【００３３】
ここで、光ディスク２００の空き容量については、例えばユーザに光ディスク２００の空き容量の入力を促すことによって該空き容量を取得しても良く、また、光ディスク記録装置１０に対して光ディスク２００の空き容量をチェック・返答すべき指示を与えることによって該空き容量を取得しても良い。
【００３４】
さて、ユーザは、記録動作・画像形成動作設定画面ＩＰＳが表示部３３０に表示されたことを確認すると、マウス操作等により記録情報の格納場所及び記録情報のファイル名等を選択する。
かかる操作がなされると、コントローラ３１０は、ユーザによって選択された格納場所（例えば、内部記憶装置）に格納されている複数の記録情報の中から、該ユーザによって選択された記録情報（例えば、記録情報ファイルａ）を特定する。そして、コントローラ３１０は、該記録情報に付加されているヘッダ等を参照してこの記録情報の情報量を取得し、これをディスク容量表示バーＣＢに表示するとともに（図７に示す、記録情報の情報量ＩＭ１参照）、画像形成動作を決定するために必要な情報の入力を促すメッセージを表示部３３０に表示する。
【００３５】
ユーザは、かかるメッセージの内容を確認すると、マウス操作等により画像形成動作設定ボタンＰＢをクリックする。クリック操作がなされると、画像形成動作設定ウィンドウＰＷが表示部３３０に表示される（図８参照）。
図８に示すように、画像形成動作設定ウィンドウＰＷには、画像形成動作を有効にするかどうかをユーザに促す画像形成チェックボックスＣＢと、画像情報を選択するためのディスク参照ボタンＤＢと、選択した画像情報に対応する画像をどのようなパターンで形成すべきかを指定するためのパターン指定ボタンＰＳＢと、選択した画像情報の情報量等をあらわす画像情報量メッセージＭＭと、選択した記録情報を記録し、かつ、選択した画像情報に対応する画像を光ディスク２００に形成した状態をプレビュー表示するためのプレビューボタンＰＲＢ等が表示される。
【００３６】
ユーザは、マウス等を操作して画像形成チェックボックスＣＢにチェックを入れ、画像形成動作を有効にした後、ディスク参照ボタンＤＢをクリックする。かかる操作がなされると、ディスク参照ボタンＤＢの下方に種々の画像情報の格納場所（内部記憶装置等）を示す一覧表がプルダウン表示される（図９参照）。ユーザは、一覧表に表示されている複数の格納場所の中から、所定の格納場所を特定し、さらに該格納場所に格納されている複数の画像情報の中から、形成すべき画像に対応する画像情報（例えば、画像情報ファイルａ）を特定する。
そして、ユーザはパターン指定ボタンＰＳＢをクリックする。かかる操作がなされると、パターン指定ボタンＰＢＳの下方に種々のパターン（円周上で繰り返し等）を示す一覧表がプルダウン表示される（図１０参照）。ユーザは、上記と同様、一覧表に表示されている複数のパターンの中から、形成すべき画像パターンをマウス操作等により特定する。
【００３７】
以上説明した操作がなされると、コントローラ３１０は、ユーザによって選択された画像情報のヘッダ等を参照して該画像情報の情報量を求めるとともに、該画像情報に対応する画像を選択されたパターンで光ディスク２００に形成したときの情報量（例えば、３０ＭＢ）を求める。さらに、コントローラ３１０は、求めた画像情報の情報量に基づいて、該画像を形成するのに必要な光ディスク２００の半径方向の幅Ｗ（例えば、２．４ｃｍ）を求める（図３（ｂ）参照）。そして、コントローラ３１０は、このようにして求めた画像情報の情報量及び光ディスク２００の半径方向の幅Ｗを表示部３３０に表示するとともに（図１１参照）、該画像情報の情報量をディスク容量表示バーＣＢに表示する（図７に示す、画像情報の情報量ＩＭ２参照）。
【００３８】
以上の説明では、求めた記録情報の情報量と画像情報の情報量の合計が、光ディスク２００の空き容量以下である場合を例に説明したが、求めた記録情報の情報量と画像情報の情報量の合計が、光ディスク２００の空き容量を越えてしまう場合も生じ得る。かかる場合、コントローラ３１０は、図１２に示すようなメッセージを表示部３３０に表示し、求めた記録情報の情報量と画像情報の情報量の合計が、光ディスク２００の空き容量を越えている旨をユーザに報知するとともに、再設定モードあるいは自動編集モードのいずれかの選択をユーザに促す。
【００３９】
ここで、ユーザのマウス操作等により再設定モードが選択されると、コントローラ３１０は、これまでに設定された内容（記録情報の選択、画像情報の選択等）を全て初期化し、図６に示す記録動作・画像形成動作設定画面ＩＰＳを再び表示部３３０に表示する。
ユーザは、記録情報の情報量と画像情報の情報量の合計が、光ディスク２００の空き容量以下となるように、記録情報及び画像情報等を再選択する。なお、ここでは、ユーザによって再設定モードが選択された場合、これまでに設定された内容を全て初期化したが、例えば設定内容の一部のみ初期化するようにしても良い。例えば、記録情報の設定内容のみ初期化した場合には、記録情報についてのみ、再設定すれば良い。
【００４０】
一方、ユーザのマウス操作等により自動編集モードが選択されると、コントローラ３１０は、図１３に示すようなメッセージを表示部３３０に表示し、記録情報優先編集モード若しくは画像情報優先編集モードのいずれかの選択をユーザに促す。ここで、記録情報優先編集モードとは、記録情報に関する設定内容に変更を加えることなく、画像情報に関する設定内容に変更を加える自動編集モードをいい、画像情報優先編集モードとは、画像情報に関する設定内容に変更を加えることなく、記録情報に関する設定内容についてのみ変更を加える自動編集モードをいう。
【００４１】
ここで、ユーザのマウス操作等により記録情報優先編集モードが選択されると、コントローラ３１０は、記録情報の情報量と画像情報の情報量の合計が、光ディスク２００の空き容量以下となるように、画像情報に関する設定内容に変更を加える。具体的には、画像情報の情報量が小さくなるように、画像パターンを変更したり該画像の大きさを変更する等して、画像情報の編集を行う。
一方、ユーザのマウス操作等により画像情報優先編集モードが選択されると、コントローラ３１０は、記録情報の情報量と画像情報の情報量の合計が、光ディスク２００の空き容量以下となるように、記録情報に関する設定内容に変更を加える。具体的には、記録情報の情報量が小さくなるように、記録情報の一部を削除（例えば、１曲分の記録情報を削除）する等して、記録情報の編集を行う。
【００４２】
なお、マウス操作等により自動編集モードが選択された場合には、ユーザの意図せぬ記録情報、画像情報等が削除、変更される可能性がある。そこで、記録情報、画像情報の削除等を行う前にユーザの確認を得るべく、「○○ファイルを削除して自動編集を行います。よろしいですか。」等のメッセージを表示部３３０に表示し、かかるメッセージに応じてユーザの同意が得られた場合にのみ、自動編集するようにしても良い。
【００４３】
このように、本実施形態では、記録情報の情報量と画像情報の情報量の合計が、光ディスク２００の空き容量を越えたときに、記録情報若しくは画像情報の自動編集を行うが、記録情報の情報量と画像情報の情報量の合計が、光ディスク２００の空き容量を越えたか否かを問わず、記録情報若しくは画像情報の編集を行うようにしても良い。一例を挙げて説明すると、記録情報の情報量と画像情報の情報量の合計が、光ディスク２００の空き容量を大きく下回った場合、記録情報の情報量と画像情報の情報量の合計が、光ディスク２００の空き容量とほぼ一致するように、画像情報若しくは記録情報の編集を行う。なお、画像情報若しくは記録情報の編集に関する詳細は、上記とほぼ同様に説明することができるため、省略する。また、本実施形態では、選択される編集モードに応じて画像情報若しくは記録情報のいずれか一方の情報のみ自動編集したが、例えば一括編集モード等を設け、記録情報及び画像情報の両情報を自動編集しても良い。
【００４４】
説明に戻り、ユーザは、記録情報及び画像情報に関する設定を終了すると、マウス操作等により図１１に示すプレビューボタンＰＲＢをクリックする。かかる操作がなされると、コントローラ３１０は、光ディスク２００に記録情報が記録され、かつ、画像情報に対応する画像が形成された状態を表示部３３０にプレビュー表示する。
【００４５】
ここで、図１４は、プレビュー表示画面の一例を示す図である。
図１４に示すように、プレビュー表示画面の左側には、記録情報が記録され、かつ、画像情報に対応する画像が形成された光ディスクが表示される一方、プレビュー表示画面の右側には、記録情報の記録及び画像情報に対応する画像形成を開始しても良いかどうかの指示を促すメッセージが表示される。
ユーザは、プレビュー表示画面の左側に表示されている、光ディスク２００に形成されるであろう画像の大きさ、配置等を確認し、このままの状態で記録情報の記録及び画像情報に対応する画像形成を開始しても良いかどうかを判断する。ユーザは、このままの状態で記録情報の記録及び画像情報に対応する画像形成を開始しても良いと判断すると、プレビュー表示画面の右側に表示されているＯＫボタンをクリックする。
【００４６】
一方、ユーザは、光ディスク２００に形成されるであろう画像が思いのほか小さかったり、該画像の配置が不適切であると判断した場合には、プレビュー表示画面の左側に表示されているＮＧボタンをクリックする。ＮＧボタンがクリックされると、コントローラ３１０は、記録情報及び画像情報に関する設定のやり直しを促すべく、例えば図６に示す記録動作・画像形成動作設定画面ＩＰＳを再び表示部３３０に表示する。なお、記録動作・画像形成動作設定画面ＩＰＳを表示部３３０に表示した後の動作については、上記とほぼ同様に説明することができるため、割愛する。
【００４７】
さて、上記ＯＫボタンがクリックされ、記録情報の記録及び画像情報に対応する画像形成を開始すべき指示が与えられると、コントローラ３１０は、設定された内容で記録情報の記録を開始するとともに、設定された内容で画像情報に対応する画像の形成を開始すべき指示を光ディスク記録装置１０に送る。そして、コントローラ３１０は、該光ディスク記録装置１０に対する記録情報及び画像情報の供給を開始する。
【００４８】
光ディスク記録装置１０は、ホストコンピュータ３００から順次供給される記録情報及び画像情報をそれぞれバッファメモリ１５２及びフレームメモリ１５８に格納していく。そして、光ディスク記録装置１０は、ホストコンピュータ３００から記録情報の開始指示及び画像情報に対応する画像の形成開始指示が与えられると、かかる指示に従って、まず記録情報の記録を開始する。
【００４９】
具体的には、光ピックアップ１４４を光ディスク２００の最内周に移動した後、該光ピックアップ１４４による記録情報の記録を開始させる。その後、光ディスク記録装置１０は、ホストコンピュータ３００から順次供給される記録情報の記録を完了すると、ファイナライズ処理を実行する。詳述すると、今まで記録した記録情報に関するＴＯＣデータ（最終記録アドレス等）を、図３（ａ）に示す光ディスク２００のリードイン領域ＲＩＥに書き込むとともに、記録情報の完了位置からリードアウト領域ＲＯＥにデータの終了を書き込む。
【００５０】
その後、光ディスク記録装置１０は、画像情報に対応する画像の形成を開始する。具体的には、光ディスク２００のリードイン領域ＲＩＥに書き込んだＴＯＣデータ等を参照して、画像形成を開始すべき先頭アドレス等を特定する。そして、光ディスク記録装置１０は、先頭アドレスに光ピックアップ１４４を移動させ、光ピックアップ１４４による画像情報に対応する画像形成を開始させる。その後、光ピックアップ１４４による画像情報に対応する画像形成動作が終了すると、記録情報の記録及び画像情報に対応する画像形成が完了した旨をホストコンピュータ３００に通知し、処理を終了する。
【００５１】
この結果、図３（ｂ）に示すように光ディスク２００に記録情報が記録され、該光ディスク２００に画像情報に対応する画像が形成される。ここで、画像が形成された部分と画像が形成されていない部分との間には、光の反射率に相違が生じるため、ユーザは、この反射率の違いにより、光ディスク２００に形成された画像を認識することができる。
【００５２】
以上説明したように、本実施形態に係る光ディスク記録システム１００によれば、プリンタ装置など、新たな装置を別途必要とすることなく、光ディスク２００に視認可能な画像を形成することができる。
ここで、ホストコンピュータ３００に搭載されているライティングソフトウェアＷＳは、光ディスク記録装置１０に記録情報の記録の開始指示及び画像情報に対応した画像の形成開始指示を与える前に、記録情報及び画像情報に関する種々の設定をユーザに促し、これに対応して入力される種々の設定に従って該光ディスク記録装置１０の記録動作及び画像形成動作を決定する。
【００５３】
このように、記録情報に関する種々の設定と、画像情報に関する種々の設定を同時に行うことができるため、設定操作の簡易化を図ることができる。
また、記録情報の記録及び画像情報に対応した画像の形成を開始する前に、記録情報及び画像情報に関する種々の設定を行うため、記録情報の情報量と画像情報の情報量の合計が、光ディスク２００の空き容量を超えてしまい、所望の画像が光ディスク２００に形成されなかった等の問題を未然に防ぐことができる。
【００５４】
また、本実施形態では、記録情報及び画像情報を自動編集する自動編集モードとして、記録情報に関する設定内容に変更を加えることなく、画像情報に関する設定内容に変更を加える記録情報優先編集モードと、画像情報に関する設定内容に変更を加えることなく、記録情報に関する設定内容に変更を加える画像情報優先編集モードが用意されている。
これにより、記録情報よりも画像情報を優先したいと考えるユーザ、あるいは画像情報よりも記録情報を優先したいと考えるユーザのいずれのニーズにも応えることができる。
【００５５】
Ｂ．変形例
なお、本発明は、上述した本実施形態に限らず、以下に例示する変形が可能である。
【００５６】
＜変形例１＞
以上説明した本実施形態では、光ディスク２００の内周側に記録情報を記録し、外周側に画像情報に対応した画像を形成したが、これとは逆に、光ディスク２００の内周側に画像情報に対応した画像を形成し、外周側に記録情報を記録しても良い。周知の通り、ＣＡＶ方式を採用した光ディスク記録装置においては、外周側の線速度よりも内周側の線速度の方が速くなる。従って、要求される記録精度は、外周側よりも内周側の方が高くなるため、精度が要求される情報記録を外周側で行い、さほど精度が要求されない画像形成を内周側で行う。このように、要求される記録精度等に応じて、記録位置及び画像形成位置を適宜設定しても良い。
【００５７】
＜変形例２＞
また、本実施形態では、ＣＡＶ方式を採用した光ディスク記録装置１０を例に説明したが、パーシャルＣＡＶ方式、ＣＬＶ方式等、あらゆる記録方式を採用した光ディスク記録装置１０に適用可能である。また、上述した本実施形態では、ＣＤ−Ｒ、ＣＤ−ＲＷ等を例に説明を行ったが、その他にもＤＶＤ−Ｒ（ＤｉｇｉｔａｌＶｅｒｓａｔｉｌｅ　Ｄｉｓｃ　Ｒｅｃｏｒｄａｂｌｅ）、ＤＶＤ−ＲＡＭ（Ｄｉｇｉｔａｌ　Ｖｅｒｓａｔｉｌｅ　Ｄｉｓｃ　Ｒａｎｄｏｍ　Ａｃｃｅｓｓ　Ｍｅｍｏｒｙ）など、あらゆる光ディスクに適用可能である。
【００５８】
＜変形例３＞
また、上述した本実施形態では、ホストコンピュータ３００と光ディスク記録装置１０とが別体構成されている場合を例に説明したが、ホストコンピュータ３００と光ディスク記録装置１０とを一体構成しても良い。また、本実施形態では、ホストコンピュータ３００にライティングソフトウェアＷＳが予め搭載されている場合を例に説明したが、例えばライティングソフトウェアＷＳを記録した記録媒体（例えば、フロッピーディスク等）からホストコンピュータ３００にインストールする、あるいはライティングソフトウェアＷＳを備えたサーバからネットワーク（例えば、インターネット等）を介してダウンロードし、ホストコンピュータ３００にインストールする。このように、本実施形態に係るライティングソフトウェアＷＳを種々の媒体を介してホストコンピュータ３００にインストールしても良い。
【００５９】
【発明の効果】
以上説明したように、本発明によれば、プリンタ装置など、新たな装置を別途必要とすることなく、光ディスク２００に視認可能な画像を形成することができる。
【図面の簡単な説明】
【図１】本実施形態における光ディスク記録システムの概略構成を示す図である。
【図２】同実施形態に係る光ディスク記録装置の要部構成を示すブロック図である。
【図３】同実施形態に係る光ディスクのフォーマットを示す図である。
【図４】同実施形態に係るホストコンピュータの要部構成を示すブロック図である。
【図５】同実施形態に係る内部記憶装置の記憶内容を例示した図である。
【図６】同実施形態に係る記録動作・画像形成動作設定画面を例示した図である。
【図７】同実施形態に係るディスク容量表示バーを示す図である。
【図８】同実施形態に係る画像形成動作設定ウィンドウを例示した図である。
【図９】同実施形態に係る画像形成動作設定ウィンドウを例示した図である。
【図１０】同実施形態に係る画像形成動作設定ウィンドウを例示した図である。
【図１１】同実施形態に係る画像形成動作設定ウィンドウを例示した図である。
【図１２】同実施形態に係る表示部に表示されるメッセージを例示した図である。
【図１３】同実施形態に係る表示部に表示されるメッセージを例示した図である。
【図１４】同実施形態に係るプレビュー表示画面を例示した図である。
【符号の説明】
１０・・・光ディスク記録装置、１００・・・光ディスク記録システム、３００・・・ホストコンピュータ、３１０・・・コントローラ、３２０・・・操作部、３３０・・・表示部、３４０・・・内部記憶装置、３５０・・・外部記憶装置、３６０・・・外部通信インタフェース、ＷＳ・・・ライティングソフトウェア。
【図１】
2004039013.tif 000003
【図２】
2004039013.tif 000004
【図３】
2004039013.tif 000005
【図４】
2004039013.tif 000006
【図５】
2004039013.tif 000007
【図６】
2004039013.tif 000008
【図７】
2004039013.tif 000009
【図８】
2004039013.tif 000010
【図９】
2004039013.tif 000011
【図１０】
2004039013.tif 000012
【図１１】
2004039013.tif 000013
【図１２】
2004039013.tif 000014
【図１３】
2004039013.tif 000015
【図１４】
2004039013.tif 000016